Podtech/llm-jp-corpus-v4-ja_patent huggingface dataset:
【手続補正書】
【提出日】平成26年1月27日(2014.1.27)
【手続補正１】
【補正対象書類名】特許請求の範囲
【補正対象項目名】全文
【補正方法】変更
【補正の内容】
【特許請求の範囲】
【請求項１】
プラスチックパッケージと前記パッケージに収容された栄養液剤とを含む包装された組成物であって、前記栄養液剤がβ−ヒドロキシ−β−メチル酪酸と、脂質および蛋白質の少なくとも１種を含む、前記包装組成物。
【請求項２】
栄養液剤がレトルト殺菌されている、請求項１に記載の包装組成物。
【請求項３】
栄養液剤が無菌包装されている、請求項１に記載の包装組成物。
【請求項４】
栄養液剤が、栄養液剤重量当り０．１％〜８％のβ−ヒドロキシ−β−メチル酪酸を含む、請求項１に記載の包装組成物。
【請求項５】
栄養液剤が脂質、糖質、蛋白質およびβ−ヒドロキシ−β−メチル酪酸を含んでおり、前記蛋白質が３５〜１００重量％の可溶性蛋白質を含み、ホスホセリン含有蛋白質１キログラム当り少なくとも１００ｍｍｏｌのホスホセリンを有するホスホセリン含有蛋白質を含む、請求項１に記載の包装組成物。
【請求項６】
プラスチックパッケージと前記パッケージに収容されたレトルト殺菌栄養液剤とを含む包装された組成物であって、前記栄養液剤が栄養液剤１キログラム当り少なくとも４．５グラムのβ−ヒドロキシ−β−メチル酪酸と、脂質と、蛋白質と、糖質を含んでおり、前記蛋白質が３５％〜１００％の可溶性蛋白質を含む、前記包装組成物。
【請求項７】
可溶性蛋白質が、ホスホセリン含有蛋白質１キログラム当り少なくとも１００ｍｍｏｌのホスホセリンを有するホスホセリン含有蛋白質を含む、請求項６に記載の包装組成物。
【請求項８】
プラスチックパッケージが１３立方センチメートル未満のヘッドスペースを含む、請求項１または請求項６に記載の包装組成物。
【請求項９】
プラスチックパッケージと前記パッケージに収容された無菌殺菌栄養液剤とを含む包装された組成物であって、前記栄養液剤が栄養液剤１キログラム当り少なくとも４．５グラムのβ−ヒドロキシ−β−メチル酪酸と、脂質と、蛋白質と、糖質を含んでおり、前記蛋白質が３５％〜１００％の可溶性蛋白質を含む、前記包装組成物。
【請求項１０】
可溶性蛋白質が、ホスホセリン含有蛋白質１キログラム当り少なくとも１００ｍｍｏｌのホスホセリンを有するホスホセリン含有蛋白質を含む、請求項９に記載の包装組成物。
【請求項１１】
プラスチックパッケージが再封可能である、請求項６または請求項９に記載の包装組成物。
【請求項１２】
可溶性蛋白質がカゼイン酸ナトリウム、ホエー蛋白質濃縮物およびその組合せからなる群から選択される、請求項５、請求項６または請求項９に記載の包装組成物。
【請求項１３】
栄養液剤がβ−ヒドロキシ−β−メチル酪酸カルシウムに対して５：１〜１２：１の重量比の可溶性蛋白質を含む、請求項５、請求項６または請求項９に記載の包装組成物。
【請求項１４】
プラスチックパッケージ入りｐＨ安定性栄養液剤の製造方法であって、
脂質、蛋白質、糖質およびβ−ヒドロキシ−β−メチル酪酸を配合し、栄養液剤を形成する工程と；
栄養液剤をプラスチックパッケージに導入する工程と；
プラスチックパッケージ内の栄養液剤をレトルト殺菌する工程と
を含む、前記方法。
【請求項１５】
プラスチックパッケージ入りｐＨ安定性栄養液剤の製造方法であって、
脂質、蛋白質、糖質およびβ−ヒドロキシ−β−メチル酪酸を配合し、栄養液剤を形成する工程と；
栄養液剤を殺菌する工程と；
プラスチックパッケージを殺菌する工程と；
殺菌した栄養液剤を殺菌したプラスチックパッケージに導入する工程と
を含む、前記方法。
【手続補正書】
【提出日】平成26年1月29日(2014.1.29)
【手続補正１】
【補正対象書類名】特許請求の範囲
【補正対象項目名】全文
【補正方法】変更
【補正の内容】
【特許請求の範囲】
【請求項１】
ペルオキシド処理した無菌パッケージ及び該パッケージ中に密閉した栄養液を含む包装されている組成物であって、該栄養液が、β−ヒドロキシ−β−メチルブチレート並びに脂肪、炭水化物及びタンパク質の少なくとも１つを含む組成物。
【請求項２】
ペルオキシド処理した無菌パッケージの大部分は重量基準でプラスチックである請求項１に記載の包装されている組成物。
【請求項３】
ペルオキシド処理した無菌パッケージの大部分は重量基準で金属である請求項１に記載の組成物。
【請求項４】
栄養液は栄養液の重量基準で約０．２％〜約５．０％のβ−ヒドロキシ−β−メチルブチレートを含む請求項１に記載の包装されている組成物。
【請求項５】
請求項１に記載の組成物であって、栄養液は脂肪、炭水化物、タンパク質及びβ−ヒドロキシ−β−メチルブチレートを含み、前記タンパク質は５０〜１００重量％の可溶性タンパク質を含み、及びホスホセリン含有タンパク質１ｋｇあたり少なくとも約１００ｍｍｏｌのホスホセリンを有するホスホセリン含有タンパク質を含む組成物。
【請求項６】
可溶性タンパク質はカゼインナトリウム、ホエータンパク質濃縮物またはその組合せから選択される請求項５に記載の組成物。
【請求項７】
栄養液は約２．３：１〜約１２：１の可溶性カルシウム結合能／全可溶性カルシウムの重量比を有している請求項１に記載の組成物。
【請求項８】
ペルオキシド処理した無菌パッケージは約１３ｃｍ３未満のヘッドスペースを含む請求項１に記載の組成物。
【請求項９】
脂肪、タンパク質、炭水化物及びβ−ヒドロキシ−β−メチルブチレートを一緒に合せて栄養液を形成し；
栄養液を滅菌し；
パッケージの内部をペルオキシド含有溶液で処理することによりパッケージを無菌的に滅菌し；
滅菌した栄養液を無菌的に滅菌したパッケージに充填すること
を含むペルオキシド処理した無菌パッケージ中のｐＨ安定性栄養液の製造方法。
【請求項１０】
ペルオキシド処理した無菌パッケージはガラス、プラスチック、金属、紙、厚紙及びその組合せからなる群から選択される材料を含む請求項９に記載の方法。
【請求項１１】
ペルオキシド処理した無菌パッケージはリクローザブルである請求項９に記載の方法。
【請求項１２】
タンパク質はカゼインナトリウム、ホエータンパク質濃縮物及びその組合せからなる群から選択される可溶性タンパク質を含む請求項９に記載の方法。
【請求項１３】
栄養液は約２．３：１〜約１２：１の可溶性カルシウム結合能／全可溶性カルシウムの重量比を有している請求項９に記載の方法。
【請求項１４】
栄養液は約５：１〜約１２：１の可溶性カルシウム結合能／全可溶性カルシウムの重量比を含む請求項９に記載の方法。
【請求項１５】
ペルオキシド含有溶液は過酸化水素である請求項９に記載の方法。
【手続補正書】
【提出日】平成25年11月21日(2013.11.21)
【手続補正１】
【補正対象書類名】特許請求の範囲
【補正対象項目名】全文
【補正方法】変更
【補正の内容】
【特許請求の範囲】
【請求項１】
モップヘッドと絞り装置との組み合わせにおいて、モップヘッドは本体とホルダとを含み、モップヘッド本体はモップ材を支持し、使用中のモップヘッドホルダは、モップヘッドをハンドルに取り付け、モップヘッドホルダは、本体に固定された又は本体と一体の第１ホルダ部と、使用中にハンドルと係合し、ハンドルをモップヘッドに取り付ける第２ホルダ部と、第１ホルダ部と第２ホルダ部とを連結する連結部分と、を有し、絞り装置は、絞りチャンバと、一対の圧力バーと、圧力バーが離れておりモップヘッド本体が圧力バーの間でチャンバの中へ受け入れられる開状態と、圧力バーが互いに並び、空間によって互いから間隔を隔てられる閉状態との間で圧力バーを相対的に移動させる作動機構と、を含み、圧力バーは、モップヘッドの１つ又は複数の支持面に作用して、モップヘッド本体を絞りチャンバの底に押し付け、モップ材を絞り、圧力バーが、モップヘッドの１つ又は複数の支持面に作用する閉状態にある場合に、ホルダの連結部分が、２本の圧力バーの間の空間に沿って延び、連結部分は、一対の圧力バーの間の分離距離又は最小分離距離よりも小さい厚さを有する、モップヘッドと絞り装置との組み合わせ。
【請求項２】
モップヘッド本体、ホルダ、及び１つ又は複数の支持面とは、単一構造物として設けられる、請求項１に記載の組み合わせ。
【請求項３】
モップヘッド本体及びホルダは、金属で製造され、又はプラスチック材料で成形される、請求項２に記載の組み合わせ。
【請求項４】
モップヘッド本体は、モップヘッド本体と一緒にモップ材を支持する別個の支持部材と協働する、請求項１乃至３の何れか１項に記載の組み合わせ。
【請求項５】
ホルダは、ハンドルの取り付けを行う１つ又はそれ以上の他の部品と協働する、請求項１乃至４の何れか１項に記載の組み合わせ。
【請求項６】
圧力バーが作用する１つ又は複数の支持面は、本体と一体的に設けられるか、本体に取り付けられるか、又はホルダに一体か若しくは取り付けられるかの、何れか１つである、請求項１乃至５の何れか１項に記載の組み合わせ。
【請求項７】
絞りチャンバの大きさを減少させるために絞りチャンバの中に挿入可能なアダプタが設けられる、請求項１乃至６の何れか１項に記載の組み合わせ。
【請求項８】
アダプタは、板状部材の形状であり、絞りチャンバの有効深さを減少させるためにチャンバの底に配置される、請求項７に記載の組み合わせ。
【請求項９】
絞り装置は、アダプタが使用されていない時のアダプタの保管場所を提供する、請求項７又は８に記載の組み合わせ。
【請求項１０】
絞り装置は、アダプタが使用されていない時のアダプタの保管場所を、絞りチャンバの外側面に設ける、請求項９に記載の組み合わせ。
【請求項１１】
ホルダの第１ホルダ部は、ハンドルと係合し合うソケットを含み、ホルダの連結部分の厚さは、ソケットの対応する寸法より小さい、請求項１乃至１０の何れか１項に記載の組み合わせ。
【請求項１２】
連結部分は、少なくとも第２ホルダ部の長さと同じ長さを有し、好適には第２ホルダ部の長さの少なくとも１．５倍の長さを有する、請求項１乃至１１の何れか１項に記載の組み合わせ。
【請求項１３】
連結部分は、長さが少なくとも１５ｍｍである、請求項１乃至１１の何れか１項に記載の組み合わせ。
【請求項１４】
連結部分は、長さが少なくとも２５ｍｍである、請求項１３に記載の組み合わせ。
【請求項１５】
連結部分は、長さが少なくとも３５ｍｍである、請求項１４に記載の組み合わせ。
【請求項１６】
連結部分は、長さが少なくとも４０ｍｍである、請求項１５に記載の組み合わせ。
【請求項１７】
ハンドルにモップヘッドを取り付けるためのモップヘッドホルダであって、モップヘッドホルダは、本体に固定された又は本体と一体の第１ホルダ部と、ハンドルをモップヘッドに取り付けるために使用中ハンドルと係合する第２ホルダ部と、第１ホルダ部と第２ホルダ部を連結する連結部分とを有し、連結部分は、ホルダの第１ホルダ部の対応する寸法の厚さよりも小さい厚さを有する、モップヘッドホルダ。
【手続補正書】
【提出日】平成25年12月13日(2013.12.13)
【手続補正１】
【補正対象書類名】特許請求の範囲
【補正対象項目名】全文
【補正方法】変更
【補正の内容】
【特許請求の範囲】
【請求項１】
患者に供給される呼吸ガスを制御及び調節するシステムであって、
患者に呼吸ガスを与える圧力発生器システムと、
前記圧力発生器システムに動作可能に結合され、呼吸ガスの流れを患者に供給する患者回路と、
患者回路に動作可能に結合され、患者の気道に前記呼吸ガスの流れを伝えるインターフェースデバイスと、
前記圧力発生器システム、患者回路及び前記インターフェースデバイスの１つ又はそれ以上に動作可能に結合されたセンサであって、患者に供給される呼吸ガスの流れを示す１つ又はそれ以上のパラメータを検出する当該センサと、
前記センサ及び前記圧力発生器システムに動作可能に結合された制御器であって、患者の呼吸気流の少なくとも１つの特徴を決定し、患者の呼吸気流の前記少なくとも１つの特徴に基づいて、患者の呼吸サイクルの少なくとも一部の目標の時間に基づくパラメータを計算し、患者に供給される目標の呼吸−振幅に基づくパラメータを計算する当該制御器と
を有し、
患者の呼吸気流の前記少なくとも１つの特徴が目標分時換気量の値を有し、前記制御器が、換気された死腔の値及び前記目標分時換気量の値を用いることによって理想呼吸数を計算する、当該システム。
【請求項２】
前記理想呼吸数が、前記目標分時換気量に対する前記換気された死腔の値の比率を用いて計算される、請求項１記載のシステム。
【請求項３】
前記比率が０．３に等しい、請求項２記載のシステム。
【請求項４】
前記目標分時換気量が、患者の実際の分時換気量の割合又は百分率として計算される、請求項１記載のシステム。
【請求項５】
患者の呼吸気流の前記少なくとも１つの特徴が、一呼吸よりも長い時間の経過にわたる患者の換気の尺度を有する、請求項１記載のシステム。
【請求項６】
前記目標の時間に基づくパラメータが、理想呼吸数又は理想吸気時間を有する、請求項１記載のシステム。
【請求項７】
前記制御器が、各繰り返しにおいて計算される理想呼吸数の差が或る閾値の量よりも小さくなるまで理想呼吸数を繰り返し計算することによって前記理想呼吸数を決定する、請求項６記載のシステム。
【請求項８】
前記目標の呼吸−振幅に基づくパラメータが、一回換気量、ピーク流量又は平均吸気流量を有する、請求項１記載のシステム。
【請求項９】
患者の呼吸気流の前記少なくとも１つの特徴が、患者の呼気時間、患者の呼吸抵抗又は患者の肺コンプライアンスを有する、請求項１記載のシステム。
【請求項１０】
患者の呼吸気流の前記少なくとも１つの特徴が患者の呼気時間を有し、前記制御器が呼気時定数を決定し、前記呼気時定数は、前記時間に基づくパラメータを計算するために用いられる前記呼気時間の割合又は百分率である、請求項１記載のシステム。
【請求項１１】
実際の分時換気量が、前記目標分時換気量の値を計算するために用いられる、請求項１記載のシステム。
【請求項１２】
前記制御器が、換気された死腔を反映する値を用いて理想呼吸数を計算する、請求項１記載のシステム。
【請求項１３】
患者の呼吸気流の前記少なくとも１つの特徴が呼気テール時間を有し、前記制御器は、前記呼気テール時間が或る閾値の量を上回るように目標一回換気量を調節する、請求項１記載のシステム。
【請求項１４】
前記閾値の量が０．５秒である、請求項１３記載のシステム。
【請求項１５】
患者に供給される呼吸ガスを制御及び調節するシステムであって、
患者の呼吸気流の少なくとも１つの特徴を決定する手段であって、患者の呼吸気流の前記少なくとも１つの特徴が目標分時換気量の値を有する当該手段と、
患者の呼吸気流の前記少なくとも１つの特徴に基づいて、患者の呼吸サイクルの少なくとも一部の時間に基づくパラメータを計算する手段と、
患者の呼吸気流の前記少なくとも１つの特徴に基づいて、目標の呼吸−振幅に基づくパラメータを計算する手段と、
換気された死腔の値及び前記目標分時換気量の値を用いることによって理想呼吸数を計算する手段と
を有する、当該システム。
【手続補正書】
【提出日】平成26年1月10日(2014.1.10)
【手続補正１】
【補正対象書類名】特許請求の範囲
【補正対象項目名】全文
【補正方法】変更
【補正の内容】
【特許請求の範囲】
【請求項１】
希釈されたまたは未希釈の血清または血液もしくは血液化合物を含有する溶液中の望ましくない体液種（ｂｏｄｙ  ｆｌｕｉｄ  ｓｐｅｃｉｅｓ）を減少させる、殺すまたは除去することを目的とした光線力学療法を増強するための装置であって、
複合的な体液のための少なくとも１つの流路と、
少なくとも１つの電磁放射線源と
を含み、
前記少なくとも１つの電磁放射線源が、外部から投与された少なくとも１つの光増感剤を活性化するかまたはそれにより吸収される波長である、少なくとも１つの電磁放射線放射する、
装置。
【請求項２】
前記光増感剤が、光増感剤、光増感剤組成物および光増感剤前駆体からなる群より選択される、請求項１に記載の装置。
【請求項３】
前記光増感剤がサフラニンＯである、請求項１または２に記載の装置。
【請求項４】
前記少なくとも１つの電磁放射線源が、約５００ｎｍ〜５８０ｎｍの範囲から事前に選択された少なくとも１つの電磁放射線波長放射する電磁放射線源である、請求項１〜３のいずれかに記載の装置。
【請求項５】
前記電磁放射線波長を断続的なパターンで照射する手段をさらに含む、請求項１〜４のいずれかに記載の装置。
【請求項６】
前記少なくとも１つの電磁放射線源が、レーザ放射線源、発光ダイオード源、ランプ放射線源およびこれらの組み合わせからなる群より選択される干渉性または非干渉性の放射線源を含む、請求項１〜５のいずれかに記載の装置。
【請求項７】
前記複合的な体液が、全血、血清、その他の体液およびこれらの組み合わせからなる群より選択される、請求項１〜６のいずれかに記載の装置。
【請求項８】
前記望ましくない体液種（ｂｏｄｙ  ｆｌｕｉｄ  ｓｐｅｃｉｅｓ）が、細菌およびウイルス、悪化したまたは悪性の細胞、癌細胞、内毒素、病原微生物断片、死細胞および／または病原微生物を含む、請求項１〜７のいずれかに記載の装置。
【請求項９】
前記細菌がグラム（＋）細菌およびグラム（−）細菌を包含する、請求項８に記載の装置。
【請求項１０】
前記流路の少なくとも一部分が、円筒状流路、らせん状流路およびこれらの組み合わせからなる群より選択される形状を有する、請求項１〜９のいずれかに記載の装置。
【請求項１１】
前記流路の少なくとも１つ以上の部分をさらに含み、前記流路の材料が一部または全部の電磁放射線を透過させる、請求項１〜１０のいずれかに記載の装置。
【請求項１２】
前記電磁放射線源から放射線を送るための少なくとも１つの導波管をさらに含み、前記導波管が、光ファイバ、光ファイバアレイ、円筒状の拡散チップを有する光ファイバおよびこれらの組み合わせからなる群より選択される、
請求項１〜１１のいずれかに記載の装置。
【請求項１３】
１セットの流路のための冷却システムをさらに含む、請求項１〜１２のいずれかに記載の装置。
【請求項１４】
前記装置と、連続血漿ろ過吸着療法、連続静脈−静脈血液透析システム、大容量血液ろ過およびこれらの組み合わせからなる群より選択される技術を支援する体外血液ろ過装置との組み合わせをさらに含む、請求項１〜１３のいずれかに記載の装置。
【請求項１５】
内毒素および病原微生物断片を中和および不活性化するために使用されることが既知であり、抗体、ペプチド、スカベンジャー受容体システインリッチスーパーファミリーのメンバー、フィルタおよびこれらの組み合わせからなる群より選択される装置をさらに含む、請求項１〜１４のいずれかに記載の装置。
【請求項１６】
治療済みの体液中に存在する余分なまたは活性化されなかった光増感剤を、電磁放射線の照射パターンを調節することにより、電磁放射線を複数回照射することにより、光増感剤吸収体を使用することにより、または他の任意の手段により、除去／不活性化する手段をさらに含む、請求項１〜１５のいずれかに記載の装置。
【手続補正書】
【提出日】平成26年1月17日(2014.1.17)
【手続補正１】
【補正対象書類名】特許請求の範囲
【補正対象項目名】全文
【補正方法】変更
【補正の内容】
【特許請求の範囲】
【請求項１】
創傷インサートの製造方法であって、
厚い部分と薄い部分とを有するフォームの少なくとも一部を圧縮し、前記圧縮されたフォームが実質的に一定の厚みを有するように、且つ前記厚い部分の密度が前記薄い部分の密度より大きくなるようにするステップ；および
外部圧縮力が存在しなくても前記フォームが実質的に圧縮されたままとなるように、前記圧縮されたフォームを処理するステップ；
を含む方法。
【請求項２】
請求項１に記載の方法において、処理するステップが、前記圧縮されたフォームを加熱して、前記フォームの弾性を低下させるステップを含むことを特徴とする方法。
【請求項３】
請求項１に記載の方法において、前記フォームを圧縮する前、前記厚い部分と薄い部分の密度が実質的に同じであることを特徴とする方法。
【請求項４】
請求項１に記載の方法において、処理するステップが、前記フォームの少なくとも一部に分配されているコーティングを活性化させるステップを含むことを特徴とする方法。
【請求項５】
請求項４に記載の方法において、前記フォームと前記コーティングを加熱することにより、前記コーティングが活性化されることを特徴とする方法。
【請求項６】
請求項４に記載の方法において、前記コーティングが接着剤を含むことを特徴とする方法。
【請求項７】
請求項４に記載の方法において、前記コーティングが架橋性ポリマーを含み、活性化させるステップが、前記コーティングを光と高温の少なくとも１つに暴露し、前記架橋性ポリマーの少なくとも一部を架橋させるステップを含むことを特徴とする方法。
【請求項８】
請求項１〜７のいずれか１項に記載の方法において、
前記フォームを冷却するステップ；
をさらに含み、
冷却するステップが前記圧縮されたフォームを処理した後に行われることを特徴とする方法。
【請求項９】
請求項１〜８のいずれか１項に記載の方法において、前記厚い部分の圧縮厚みが、前記薄い部分の非圧縮厚みに実質的に等しいことを特徴とする方法。
【請求項１０】
請求項１〜９のいずれか１項に記載の方法において、圧縮された後、前記フォームが異方性を示すことを特徴とする方法。
【請求項１１】
創傷ドレッシングに使用される創傷インサートであって、
高密度領域と低密度領域を有するフォーム；
を備えることを特徴とする創傷インサート。
【請求項１２】
請求項１１に記載の創傷インサートであって、前記フォームが親水性フォームを含むことを特徴とする創傷インサート。
【請求項１３】
請求項１１に記載の創傷インサートであって、前記高密度領域と低密度領域が交互に配列されていることを特徴とする創傷インサート。
【請求項１４】
請求項１１に記載の創傷インサートであって、前記高密度領域と低密度領域が格子模様に配置されていることを特徴とする創傷インサート。
【請求項１５】
陰圧創傷療法を使用する創傷治癒に用いられる創傷ドレッシングであって、
請求項１１〜１４のいずれか１項に記載の創傷インサートと；
ドレープが前記創傷インサートと創傷を被覆し、ドレープと創傷との間に空間を形成するように、ドレッシングが貼付される創傷に隣接する患者の皮膚に連結されるドレープと；
を備える創傷ドレッシング。
【請求項１６】
創傷インサートの製造方法であって、
フォームの少なくとも一部を圧縮して、前記フォームが実質的に一定の厚みを有するようにし、且つ前記厚い領域の密度が前記薄い領域の密度より大きくなるようにするステップ；
前記フォームの弾性を低下させるのに十分な高温に前記フォームを加熱するステップ；および
前記圧縮された部分が実質的に圧縮されたままとなるように、前記フォームを冷却するステップ；
を含む方法。
【請求項１７】
請求項１６に記載の方法であって、
実質的に同じ密度を有する厚い領域と薄い領域を含むフォームを提供するステップ、
をさらに含むことを特徴とする方法。
【請求項１８】
請求項１６に記載の方法において、圧縮される前、前記フォームが、実質的に同じ密度を有する厚い領域と薄い領域を含むことを特徴とする方法。
【請求項１９】
請求項１６に記載の方法において、前記フォームが連続気泡フォームを含むことを特徴とする方法。
【請求項２０】
請求項１９に記載の方法において、前記フォームが親水性フォームを含むことを特徴とする方法。
【請求項２１】
請求項１６に記載の方法において、圧縮される前、前記フォームの前記厚い領域の非圧縮厚みが、前記薄い領域の非圧縮厚みより大きく、前記厚い部分の圧縮厚みが前記薄い部分の非圧縮厚みに実質的に等しいことを特徴とする方法。
【請求項２２】
請求項１６に記載の方法において、圧縮された後、前記フォームが異方性を示すことを特徴とする方法。
【請求項２３】
創傷インサートの製造方法であって、
フォームの少なくとも一部を圧縮して、前記フォームが実質的に一定の厚みを有するようにし、且つ前記厚い領域の密度が前記薄い領域の密度より大きくなるようにするステップ；および
外部圧縮力が存在しなくても前記圧縮された部分が少なくとも部分的に圧縮されたままとなるように、前記フォームの少なくとも一部に分配されているコーティングを活性化させるステップ；
を含む方法。
【請求項２４】
請求項２３に記載の方法において、圧縮される前、前記フォームが実質的に同じ密度を有する厚い領域と薄い領域を含むことを特徴とする方法。
【請求項２５】
請求項２３に記載の方法であって、
実質的に同じ密度を有する厚い領域と薄い領域とを含むフォームを提供するステップ、
をさらに含むことを特徴とする方法。
【請求項２６】
請求項２３に記載の方法において、前記コーティングが接着剤を含むことを特徴とする方法。
【請求項２７】
請求項２３に記載の方法において、前記コーティングが架橋性ポリマーを含み、活性化させるステップが、前記コーティングを光と高温の少なくとも１つに暴露し、前記架橋性ポリマーの少なくとも一部を架橋させるステップを含むことを特徴とする方法。
【請求項２８】
創傷ドレッシングに使用される創傷インサートであって、
高密度領域と、前記高密度領域の密度よりも密度が低い低密度領域とを有するフォーム；
を備える創傷インサート。
【請求項２９】
請求項２８に記載の創傷インサートであって、前記フォームが請求項１６に記載の方法により形成されることを特徴とする創傷インサート。
【請求項３０】
請求項２８に記載の創傷インサートであって、前記フォームが親水性フォームを含むことを特徴とする創傷インサート。
【請求項３１】
請求項２８に記載の創傷インサートであって、前記高密度領域と低密度領域が交互に配列されていることを特徴とする創傷インサート。
【請求項３２】
請求項２８に記載の創傷インサートであって、前記高密度領域と低密度領域が格子模様に配置されていることを特徴とする創傷インサート。
【請求項３３】
患者の創傷上に配置されるように構成された創傷インサートであって、高密度領域と、前記高密度領域の密度よりも密度が低い低密度領域とを有するフォームを備える創傷インサートと；
ドレープが前記創傷インサートと創傷を被覆し、ドレープと創傷との間に空間を形成するように、創傷に隣接する患者の皮膚に連結されるように構成されたドレープと；
を備える創傷ドレッシング。
【手続補正書】
【提出日】平成26年1月6日(2014.1.6)
【手続補正１】
【補正対象書類名】特許請求の範囲
【補正対象項目名】全文
【補正方法】変更
【補正の内容】
【特許請求の範囲】
【請求項１】
モーション・キャプチャー・システムであって、
視野を有する深度カメラ・システムと、
ディスプレイと、
前記深度カメラ・システムおよび前記ディスプレイと通信する少なくとも１つのプロセッサーであって、前記モーション・キャプチャー・システムにおいてアプリケーションを実施し、画像を表示するための信号を前記ディスプレイに供給するように、命令を実行するプロセッサーと、
を備え、
前記深度カメラ・システムおよび前記少なくとも１つのプロセッサーは、前記視野において第１の人と第２の人を追跡するために、前記視野において前記第１の人の身体と前記第２の人の身体を区別し、前記第２の人は、前記ディスプレイ上の仮想空間におけるアバターに結び付けられて前記アバターを制御するために前記第２の人の身体を制御することによって前記アプリケーションに関与しており、一方前記第１の人は、前記アプリケーションに関与する意図を有しないものと認識され、
前記追跡に基づいて、前記少なくとも１つのプロセッサーは、前記第１の人が前記アプリケーションに関与する意図を有していることを前記視野における前記第２の人の身体の位置に対する前記第１の人の身体の位置に基づいて前記少なくとも１つのプロセッサーが判断した場合に、前記第１の人が前記アプリケーションに関与することを可能にする、
モーション・キャプチャー・システム。
【請求項２】
前記アプリケーションから離脱するという前記第２の人による意図を判断する前記追跡に基づいて、前記少なくとも１つのプロセッサーは、前記第１の人が前記第２の人に代わって前記アプリケーションに関与することを可能にし、前記関与は、前記第１の人を前記第２の人に代わって前記アバターに結び付けて、前記第１の人が前記第１の人の身体を動かすことによって前記ディスプレイ上の前記仮想空間において前記アバターを制御することを可能にすることを含む、請求項１に記載のモーション・キャプチャー・システム。
【請求項３】
前記アプリケーションに関与したままでいるという前記第２の人による意図を判断する前記追跡に基づいて、前記少なくとも１つのプロセッサーは、前記第１の人が前記ディスプレイ上の前記仮想空間において別個のアバターを制御できるように当該別個のアバターを自動的に生成し当該別個のアバターに前記第１の人を結び付けることによって、前記第１の人が前記アプリケーションに関与することを可能にし、一方前記第２の人は、前記ディスプレイ上の前記仮想空間において自分のアバターに結び付けられ当該自分のアバターを制御する、請求項１に記載のモーション・キャプチャー・システム。
【請求項４】
前記第１の人が前記アプリケーションに関与することを可能にするために、前記少なくとも１つのプロセッサーは、前記ディスプレイを少なくとも第１領域と第２領域に分割し、前記第１領域は、前記第１の人のアバターを提供し前記第１の人が第１の視点から前記仮想空間を見ることを可能にし、前記第２領域は、前記第２の人のアバターを提供し前記第２の人が異なる第２の視点から前記仮想空間を見ることを可能にする、請求項１に記載のモーション・キャプチャー・システム。
【請求項５】
前記少なくとも１つのプロセッサーは、前記第１の人と前記第２の人が前記視野において位置を交換したことを前記追跡が判断した場合に、前記第２の人のアバターを前記第１領域へ、前記第１の人のアバターを前記第２領域へ交換し、その結果、前記第１領域が、前記第２の人のアバターを提供し前記第２の人が前記第２の視点から前記仮想空間を見ることを可能にし、前記第２領域が、前記第１の人のアバターを提供し前記第１の人が前記第１の視点から前記仮想空間を見ることを可能にする、請求項４に記載のモーション・キャプチャー・システム。
【請求項６】
前記少なくとも１つのプロセッサーは、前記追跡に基づく前記視野における前記第１の人と前記第２の人との相対的な位置に基づいて、前記ディスプレイ上で前記第１領域と前記第２領域の相対的な位置を設定する、請求項４に記載のモーション・キャプチャー・システム。
【請求項７】
モーション・キャプチャー・システムにおいて方法を実行するように少なくとも１つのプロセッサーをプログラミングするためのコンピューター読み取り可能ソフトウェアを実装した有形コンピューター読み取り可能ストレージであって、前記方法は、
第１の人の身体を含んでいる前記モーション・キャプチャー・システムの視野内の場面に関連する画像を受け取るステップと、
前記画像に基づいて：前記視野において前記第１の人の身体を区別するステップであって、前記第１の人は、ディスプレイ上の仮想空間においてアバターを制御するために、前記第１の人の身体の動きによってアプリケーションと対話する、ステップと、前記場面における前記第１の人の身体の前記動きを特定し、前記ディスプレイ上の前記仮想空間においてアバターを制御していない少なくとも１人の追加の人を前記視野において区別するステップと、
前記少なくとも１人の追加の人の行動に関する既定の規準が満たされた場合に、前記アプリケーションの視覚出力と可聴出力のうちの少なくとも１つを変更するステップと、
を含む、有形コンピューター読み取り可能ストレージ。
【請求項８】
前記既定の規準は、前記少なくとも１人の追加の人が前記アプリケーションに対する関心レベルが高くなったことを示すように動くことを含む、請求項７に記載の有形コンピューター読み取り可能ストレージ。
【請求項９】
前記既定の規準は、前記少なくとも１人の追加の人が前記アプリケーションに対する関心が高くなったことを示す音響を発することを含む、請求項７に記載の有形コンピューター読み取り可能ストレージ。
【請求項１０】
モーション・キャプチャー・システムにおけるプロセッサー実装方法であって、
第１の人の身体を含んでいる前記モーション・キャプチャー・システムの視野内の場面に関連する画像を受け取るステップと、
前記画像に基づいて：前記視野において前記第１の人の身体を区別するステップであって、前記第１の人は、ディスプレイ上の仮想空間においてアバターを制御するために、前記第１の人の身体の動きによってアプリケーションと対話する、ステップと、前記場面における前記第１の人の身体の前記動きを特定し、前記ディスプレイ上の前記仮想空間においてアバターを制御していない少なくとも１人の追加の人を前記視野において区別するステップと、
前記少なくとも１人の追加の人の行動に関する既定の規準が満たされた場合に、前記アプリケーションの視覚出力と可聴出力のうちの少なくとも１つを変更するステップと、
を含む、プロセッサー実装方法。
【請求項１１】
前記既定の規準は、前記少なくとも１人の追加の人が前記アプリケーションに対する関心レベルが高くなったことを示すように動くことを含む、請求項１０に記載のプロセッサー実装方法。
【請求項１２】
前記既定の規準は、前記少なくとも１人の追加の人が前記アプリケーションに対する関心が高くなったことを示す音響を発することを含む、請求項１０に記載のプロセッサー実装方法。
【手続補正書】
【提出日】平成26年2月12日(2014.2.12)
【手続補正１】
【補正対象書類名】明細書
【補正対象項目名】００１９
【補正方法】変更
【補正の内容】
【００１９】
例えば、調製機は、１つ以上の液体リザーバ、液体流通回路、ヒータ、ポンプ、および、抽出のために原材料カプセルを受けて抽出に際してカプセルを排出するようになっている、飲料調製ユニットを含む原材料ホルダと、カプセルが調製ユニットから排出されるシート内に通じる開口を有するハウジングと、シートに排出されるカプセルを所定の充填レベルまで内部に収集するための格納空間を形成するキャビティを有する容器とを備える。容器は、カプセルを収集するためにシート内に挿入可能であるとともに、収集されたカプセルを取り除いて空にするためにシートから取り外し可能である。そのような原材料処理装置の例は、国際公開第２００９／０７４５５０号、国際公開第２００９／１３００９９号、および、国際出願ＥＰ０９／０５３１３９号明細書に開示されている。
【誤訳訂正書】
【提出日】平成26年4月18日(2014.4.18)
【誤訳訂正１】
【訂正対象書類名】特許請求の範囲
【訂正対象項目名】全文
【訂正方法】変更
【訂正の内容】
【特許請求の範囲】
【請求項１】
事前に特定された患者（１）の血液の少なくとも１つの血液パラメータをモニタリングするシステムであって、
皮膚を通して前記患者（１）の血液に対して接触するための接触具（２）と、
血液サンプル（３）を得るために所定量の血液を採取するための採取具（３）と、
事前に指定可能な血液パラメータについて血液サンプル（３）を分析するために多様な患者からの多数の血液サンプル（３）に使用可能な血液分析装置（１２）と、
分析された血液から決定された血液パラメータに基づいて前記患者（１）に投与される薬剤の薬剤パラメータを計算するための第１の演算装置（１８）と、
計算された薬剤パラメータにより薬剤を前記患者（１）に供給するための供給装置（１９，２０）と、を備え、
自動識別を実行するために、前記患者（１）に装着された第１の識別要素（４）の個人及び治療関連データに基づいて、前記個人及び治療関連データを付帯する少なくとも１つの第２の識別要素（１０）を作成するための識別要素作成装置（９）を有し、
前記少なくとも１つの第２の識別要素（１０）は、前記血液サンプル（３）を前記血液分析装置（１２）へ供給する前に、前記血液サンプル（３）に対応付けられるように構成されていることを特徴とするシステム。
【請求項２】
対応付けられる前記第２の識別要素（１０）が、前記採取具（３）に付着された少なくとも１つのバーコード及び／又はデータマトリクスコードであることを特徴とする請求項１に記載のシステム。
【請求項３】
対応付けられる前記第２の識別要素（１０）が、少なくとも１つのトランスポンダであることを特徴とする請求項１に記載のシステム。
【請求項４】
前記血液分析装置（１２）が、前記第２の識別要素（１０）の個人及び治療関連データを読み取るための読取ユニット（１４）と、読み取られたデータを、分析される血液に対応付けるための対応付けユニット（１６）と、を有することを特徴とする請求項１〜３のいずれかに記載のシステム。
【請求項５】
前記血液分析装置（１２）が、データ送信のために供給装置（１９、２０）に接続されている第１の演算装置（１８）に接続されていることを特徴とする請求項４に記載のシステム。
【請求項６】
前記識別要素作成装置（９）が第２の演算装置（７）に接続されており、前記第２の演算装置（７）は、予め入力されたデータから前記個人及び治療関連データを決定して前記識別要素作成装置（９）に送信するものであり、前記入力されたデータは、前記第１の識別要素（４）をスキャンしたデータであることを特徴とする請求項１〜５のいずれかに記載のシステム。
【請求項７】
前記個人及び治療関連データが暗号化され、かつ、血液採取が行われる時間、患者及び薬剤の名前、並びに薬剤の投与量に関する情報を含むことを特徴とする請求項１〜５のいずれかに記載のシステム。
【請求項８】
前記採取具（１ａ、２ｂ、３ｂ）がシリンジ又は血液採取針であり、前記採取具の血液受容容器又は前記採取具に連結された血液受容容器の外周面に、バーコード及び／又はデータマトリクスコードのラベル及び／又はトランスポンダが付着されていることを特徴とする請求項１〜７のいずれかに記載のシステム。
【請求項９】
事前に特定された患者（１）の血液の少なくとも１つの血液パラメータをモニタリングする方法であって、
個人及び治療関連データを付帯しかつ前記患者（１）に装着された第１の識別要素（４）を読み取るステップ（２１）と、
前記第１の識別要素（４）の個人及び治療関連データに基づいて、前記個人及び治療関連データを付帯する少なくとも１つの第２の識別要素（１０）を作成するステップ（２２）と、
前記患者（１）から採取した血液サンプル（３）を血液分析装置（１２）へ供給する前に、前記血液サンプル（３）に対して前記少なくとも１つの第２の識別要素（１０）を対応付けるステップ（２３）と、
異なる患者からの多数の前記血液サンプル（３）に使用するように構成されている血液分析装置（１２）を用い、事前に指定された血液パラメータに関して前記血液サンプル（３）を分析するステップ（３０）と、
分析された前記血液サンプル（３）から決定された血液パラメータに基づいて、第１の演算装置（１８）により前記患者（１）に投与される薬剤の薬剤パラメータを計算するステップ（３２）と、を有することを特徴とする方法。
【請求項１０】
前記血液サンプル（３）に対応付ける前記第２の識別要素（１０）として、前記血液サンプル（３）の採取具に付着する少なくとも１つのバーコード及び／又はデータマトリクスコード及び／又はトランスポンダが用いられることを特徴とする請求項９に記載の方法。
【請求項１１】
前記第２の識別要素（１０）の個人及び治療関連データが、読取ユニット（１４）を用いて読み取られ（２５）、かつ、読み取られたデータが、対応付けユニット（１６）を用いて分析される血液に対して対応付けられる（２９）ことを特徴とする請求項９又は１０に記載の方法。
【請求項１２】
分析される血液について決定される血液パラメータとして、グルコース値、ｐＨ値、血液凝固因子、ＣＯ２値等の血液ガスデータ、ＰＯ２値、カリウム値、重炭酸値、及び／又は塩基過剰値が決定されることを特徴とする請求項９〜１１のいずれかに記載の方法。
【誤訳訂正２】
【訂正対象書類名】明細書
【訂正対象項目名】００１６
【訂正方法】変更
【訂正の内容】
【００１６】
しかしながら、分析される血液について決定される血液パラメータは、グルコース値、ｐＨ値、血液凝固因子、及び例えばＣＯ２値等の血液ガスデータ、ＰＯ２値、カリウム値、重炭酸値、塩基過剰値、並びに類似の値を含むことができる。
【手続補正書】
【提出日】平成26年1月10日(2014.1.10)
【手続補正１】
【補正対象書類名】特許請求の範囲
【補正対象項目名】全文
【補正方法】変更
【補正の内容】
【特許請求の範囲】
【請求項１】
哺乳動物の腸の一時的な閉塞を形成するための組成物であって、前記組成物は、少なくとも一つの天然または合成ポリマーの流動性のある溶液、懸濁液または分散液であって、かつ、固体化可能であって腸の所望の部位において固体プラグを形成し、前記プラグの構造は、その後の少なくとも部分的な前記閉塞の除去のために変化し得るものであり、その特徴が、前記組成物はチキソトロピー剤を含有し、チキソトロピー性挙動を示すことである、組成物。
【請求項２】
前記ポリマー自体がチキソトロピー剤として機能することを特徴とする、請求項１に記載の組成物。
【請求項３】
前記チキソトロピー剤が１以上のポリエチレングリコールまたは多糖類を含むことを特徴とする、請求項１または２に記載の組成物。
【請求項４】
前記チキソトロピー剤がアルギン酸塩、デキストランおよびセルロースエーテルから選択されることを特徴とする、請求項３に記載の組成物。
【請求項５】
前記ポリマーが、不安定な結合を含み、かつ前記プラグの構造が前記結合を開裂させることにより少なくとも部分的に破壊されうることを特徴とする、請求項１から４のいずれか１項に記載の組成物。
【請求項６】
前記不安定な結合が、加水分解、光および温度に感受性の結合、ならびに酵素により開裂可能な結合から選択されることを特徴とする、請求項５に記載の組成物。
【請求項７】
前記不安定な結合が、アセタール結合、ケタール結合、エステル結合、オルトエステル結合、アゾ結合、エーテル結合および無水物結合からなる群から選択されることを特徴とする、請求項６に記載の組成物。
【請求項８】
化学結合を開裂させることにより、前記固体プラグが、腸壁に吸収されることによって除去可能である分解産物に変換され得ることを特徴とする、請求項１から７のいずれか１項に記載の組成物。
【請求項９】
前記哺乳動物が人間であることを特徴とする、請求項１から８のいずれか１項に記載の組成物。
【手続補正書】
【提出日】平成26年1月10日(2014.1.10)
【手続補正１】
【補正対象書類名】特許請求の範囲
【補正対象項目名】全文
【補正方法】変更
【補正の内容】
【特許請求の範囲】
【請求項１】
被検体に光を照射し、前記被検体を透過した前記光を検出する撮影機と、
前記撮影機のハードウェア的属性及び入力されたボクセルサイズのうち少なくとも一つを用いて被検体に対する画像の拡大率を決定する拡大率決定部と、
前記決定された拡大率に対応するように前記撮影機を移動させる拡大率制御器とを含み、
前記拡大率決定部は、
前記撮影機のハードウェア的属性に基づいて第１拡大率を決定する第１拡大率決定部と、
前記ボクセルサイズに基づいて第２拡大率を決定する第２拡大率決定部と、
前記第１拡大率と前記第２拡大率との間の値を前記被検体に対する画像の拡大率として決定する第３拡大率決定部とを含んでなる、Ｘ線断層撮影装置。
【請求項２】
前記ハードウェア的属性は焦点サイズ、ピクセルサイズ及び前記撮影機の解像度のうち少なくとも一つを含むことを特徴とする、請求項１に記載のＸ線断層撮影装置。
【請求項３】
前記撮影機は、
前記光を前記被検体に照射する光源と、
前記被検体を透過した前記光を検出する検出器とを含んでなることを特徴とする、請求項１に記載のＸ線断層撮影装置。
【請求項４】
前記拡大率制御器は、前記決定された拡大率に対応するように、前記光源及び前記検出器のうち少なくとも一つの移動を制御することを特徴とする、請求項３に記載のＸ線断層撮影装置。
【請求項５】
可変フィルターパノラマ逆透写方法を用いて前記被検体に対する画像を３次元画像に再構成する画像再構成部をさらに含むことを特徴とする、請求項１に記載のＸ線断層撮影装置。
【請求項６】
前記可変フィルターパノラマ逆透写方法は、前記撮影機によって獲得された画像を前記撮影機内検出器の受光面を基準にした回転軸としての仮想回転軸を中心に逆透写し、前記仮想回転軸と前記検出器との距離によって異なるフィルター値を適用して前記画像を補正して再構成することを特徴とする、請求項５に記載のＸ線断層撮影装置。
【請求項７】
前記撮影機は歯科用撮影機、頭頚部撮影用撮影機及び耳鼻咽喉科用撮影機のうちいずれか一つであることを特徴とする、請求項１に記載のＸ線断層撮影装置。
【請求項８】
被検体に光を照射し、前記被検体を透過した前記光を検出する撮影機のハードウェア的属性及び入力されたボクセルサイズのうち少なくとも一つを用いて前記被検体に対する画像の拡大率を決定する段階と、
前記決定された拡大率に対応するように前記撮影機を移動させる段階と、
前記移動させた撮影機を回転させながら前記被検体に対する画像を獲得する段階とを含み、
前記拡大率を決定する段階は、
前記撮影機のハードウェア的属性に基づいて第１拡大率を決定する段階と、
前記ボクセルサイズに基づいて第２拡大率を決定する段階と、
前記第１拡大率と前記第２拡大率との間の値を前記被検体に対する画像の拡大率として決定する段階とを含んでなることを特徴とする、断層画像獲得方法。
【請求項９】
前記ハードウェア的属性は焦点サイズ、ピクセルサイズ及び前記撮影機の解像度のうち少なくとも一つを含むことを特徴とする、請求項８に記載の断層画像獲得方法。
【請求項１０】
前記撮影機は、前記光を前記被検体に照射する光源と、前記被検体を透過した前記光を検出する検出器とを含んでなることを特徴とする、請求項８に記載の断層画像獲得方法。
【請求項１１】
前記撮影機を移動させる段階は、前記決定された拡大率に対応するように、前記光源及び前記検出器のうち少なくとも一つを移動させることを特徴とする、請求項１０に記載の断層画像獲得方法。
【請求項１２】
前記画像を獲得する段階の後、可変フィルターパノラマ逆透写方法を用いて前記被検体に対する画像を３次元画像に再構成する段階をさらに含むことを特徴とする、請求項８に記載の断層画像獲得方法。
【請求項１３】
前記可変フィルターパノラマ逆透写方法は、前記撮影機によって獲得された画像を前記撮影機内検出器の受光面を基準にした回転軸としての仮想回転軸を中心に逆透写し、前記仮想回転軸と前記検出器との距離によって異なるフィルター値を適用して前記画像を補正して再構成することを特徴とする、請求項１２に記載の断層画像獲得方法。
【請求項１４】
前記撮影機は歯科用撮影機、頭頚部撮影用撮影機及び耳鼻咽喉科用撮影機のうちいずれか一つであることを特徴とする、請求項８に記載の断層画像獲得方法。
【手続補正書】
【提出日】平成25年11月14日(2013.11.14)
【手続補正１】
【補正対象書類名】特許請求の範囲
【補正対象項目名】全文
【補正方法】変更
【補正の内容】
【特許請求の範囲】
【請求項１】
神経生理学的データを分析する方法であって、
データ処理装置を用い、
前記データ内の活動関連特徴を同定する工程、
各々が前記活動関連特徴の特徴を表す複数のノードを有する脳ネットワーク活動（ＢＮＡ）パターンを構築する工程、
前記ＢＮＡパターン内の各対のノードに結合性重みを指定する工程、および
前記ＢＮＡパターンをディスプレイ装置若しくはコンピュータ可読媒体に送信する工程、
を含む方法。
【請求項２】
前記ノードは、データ特性のベクトルのクラスタを表す、請求項１に記載の方法。
【請求項３】
前記結合性重みは、（ｉ）１つの対応する対のクラスタ内のベクトルの数、（ｉｉ）前記対応する対のクラスタ内のベクトル数間の変動性、（ｉｉｉ）前記対応する対のクラスタの各クラスタに関連する時間窓の幅、（ｉｖ）前記対応する対のクラスタを分離する潜時差、（ｖ）前記対応する対のクラスタと関連する信号の振幅、（ｖ）前記対応する対のクラスタと関連する信号の周波数、および（ｖｉｉ）前記クラスタを規定する空間窓の幅、からなる群から選択される少なくとも１つのクラスタ特性に基づいて計算される重み指数を含む、請求項２に記載の方法。
【請求項４】
被験者の神経生理学的データを分析する方法であって、
データ処理装置を用い、
前記データ内の特徴および特徴間の関連を同定する工程、
前記特徴および特徴間の前記関連を、前記被験者の前記データ内の活動関連特徴を同定できるように参照神経生理学的データの特徴および特徴間の関連と比較する工程、
各々が前記活動関連特徴の特徴を表す複数のノードを有する脳ネットワーク活動（ＢＮＡ）パターンを構築する工程、
前記ＢＮＡパターン内の各対のノードに結合性重みを指定する工程、および
前記ＢＮＡパターンをディスプレイ装置若しくはコンピュータ可読媒体に送信する工程、
を含む方法。
【請求項５】
前記参照神経生理学的データは、群または部分群の被験者から取得されたデータに対応するか、または同一被験者から以前に取得された履歴データに対応する、請求項４に記載の方法。
【請求項６】
前記参照データの前記特徴および特徴間の関連は、少なくとも次のいずれか
（ｉ）同一個人について以前に構築されたＢＮＡパターン
（ｉｉ）事前注釈付き（ｐｒｅｖｉｏｕｓｌｙ  ａｎｎｏｔａｔｅｄ）ＢＮＡパターン
として提供される、請求項４または５のいずれかに記載の方法。
【請求項７】
前記少なくとも１つの事前注釈付きＢＮＡパターンは、正常であると注釈が付けられた少なくとも１つのＢＮＡパターンおよび異常であると注釈が付けられた少なくとも１つのＢＮＡパターンを含む、請求項６に記載の方法。
【請求項８】
前記少なくとも１つの事前注釈付きＢＮＡパターンは、（ｉ）同一脳障害を有すると同定された若しくは（ｉｉ）正常脳機能を有すると同定された、１群の被験者を特徴付けるベースライン注釈付きＢＮＡパターンである、請求項６または７のいずれかに記載の方法。
【請求項９】
前記結合性重みに基づいてＢＮＡパターン類似性を計算する工程をさらに含み、必要に応じて前記ＢＮＡパターン類似性に応答性である脳障害指数を決定する工程であって、前記脳障害は前記注釈に対応する工程、をさらに含む請求項４〜８のいずれかに記載の方法。
【請求項１０】
前記結合性重みは、前記対の特徴と前記参照データ内の対応する特徴との相関を特徴付ける統計的スコアを含み、前記相関は潜時、潜時差、振幅および周波数のうちの少なくとも１つに関係する、請求項４〜９のいずれかに記載の方法。
【請求項１１】
異なる時間間隔に対応する数種のＢＮＡパターンを構築する工程、および時間軸上に前記ＢＮＡパターンを表示する工程をさらに含む、請求項４〜１０のいずれかに記載の方法。
【請求項１２】
被験者の状態を前記被験者の前記脳から取得した神経生理学的データから評価する方法であって、
前記データ内の活動関連特徴を同定する工程、
各々が前記活動関連特徴の特徴を表す複数のノードを有する脳ネットワーク活動（ＢＮＡ）パターンを構築する工程、
前記構築されたＢＮＡパターンと正常であると注釈が付けられている第１ベースラインＢＮＡパターンとの間の比較を記述する第１ＢＮＡパターン類似性を計算する工程、
前記構築されたＢＮＡパターンと異常であると注釈が付けられている第２ベースラインＢＮＡパターンとの間の比較を記述する第２ＢＮＡパターン類似性を計算する工程、および
前記第１および前記第２ＢＮＡパターン類似性の両方へ応答性で異常な脳機能の尤度を評価する工程
を含む方法。
【請求項１３】
注意欠陥多動性障害（ＡＤＨＤ）が存在する尤度を評価する方法であって、
被験者の脳から取得された神経生理学的データ内の活動関連特徴を同定する工程、
各々が前記活動関連特徴の特徴を表す複数のノードを有する脳ネットワーク活動（ＢＮＡ）パターンを構築する工程、および
前記構築されたＢＮＡパターンとベースラインＢＮＡパターンとの間の比較を記述するＢＮＡパターン類似性を計算する工程であって、前記ベースラインＢＮＡパターンは、主としてθおよびα周波数帯域、約１００ｍｓ〜約２００ｍｓの特有の時間窓内の複数の前頭中心位置で、事象関連電位を表すノードを有する工程
を含み、
規定閾値を超えるＢＮＡパターン類似性は、前記被験者がＡＤＨＤを有する尤度を示す
方法。
【請求項１４】
神経生理学的データを分析するためのシステムであって、前記神経生理学的データを受信する、および請求項４〜１３のいずれかに記載の方法を実行するために構成されたデータ処理装置を含むシステム。
【請求項１５】
コンピュータソフトウエア製品であって、プログラム命令がその中に保存されるコンピュータ可読媒体を含み、その命令は、データ処理装置によって読み取られると、前記データ処理装置が前記神経生理学的データを受信して、請求項４〜１３のいずれかに記載の方法を実行することを引き起こすコンピュータソフトウエア製品。